(57)【要約】【課題】ビル内の省エネ制御対象となる機器およびこの機器の制御内容を、エネルギー使用量を計測するメータの情報から容易に特定することにより、エネルギー使用状況の監視および制御を支援するビル監視制御支援システム、およびこれに利用するビル監視制御支援装置、ビル監視制御支援方法、ビル監視制御支援プログラムを提供する。【解決手段】エネルギー使用量の改善対象のメータが指定されると、このメータの所属メータのうち機器計測メータの情報をメータ−メータテーブルから抽出し、抽出された機器計測メータの計測対象の機器の情報をメータ−機器テーブルから抽出し、抽出された機器に関する制御内容を、エネルギー使用量の改善対象の機器の制御内容として機器テーブルから抽出し、支援情報としての検索結果画面情報を生成する支援情報生成部２２３を備える。【選択図】図１
2010074888.tif 000002
【特許請求の範囲】
【請求項１】
監視制御対象となるビルに供給されるエネルギーを最上層とする一方、当該ビル内に設置された複数の機器のそれぞれに供給されるエネルギーを最下層として階層的に分岐されるエネルギーを管理するビル監視制御支援システムであって、
前記階層的にエネルギーが分岐される各分岐元の位置で、この位置よりも下層に供給されるエネルギーをそれぞれ計測する複数のエリア計測メータと、
前記階層的にエネルギーが分岐された最下層の位置で、前記各機器に供給されるエネルギーをそれぞれ計測する複数の機器計測メータと、
前記エリア計測メータごとに、当該エリア計測メータの計測位置よりも下層の位置でエネルギーを計測する、前記機器計測メータを含む所属メータの情報を格納したメータ−メータテーブルと、
前記機器計測メータごとに、計測対象の機器の情報を格納したメータ−機器テーブルと、
前記複数の機器ごとの制御内容を格納した機器テーブルと、
エネルギー使用量の改善対象のメータが指定されると、この指定されたメータの前記所属メータのうち前記機器計測メータの情報を、前記メータ−メータテーブルから検索して抽出する機器計測メータ情報抽出部と、
前記機器計測メータ情報抽出部で抽出された前記機器計測メータの計測対象の機器の情報を、前記メータ−機器テーブルから抽出する機器情報抽出部と、
前記機器情報抽出部で抽出された機器の制御内容を、前記機器テーブルから抽出する機器制御内容抽出部と、
前記機器制御内容抽出部で抽出された機器の制御内容を、エネルギー使用量の改善対象の機器の制御内容として表示する改善対象機器表示部と、
を備えることを特徴とするビル監視制御支援システム。
【請求項２】
監視制御対象となるビルに供給されるエネルギーを最上層とする一方、当該ビル内に設置された複数の機器のそれぞれに供給されるエネルギーを最下層として階層的に分岐されるエネルギーを管理し、前記階層的にエネルギーが分岐される各分岐元の位置で、この位置よりも下層に供給されるエネルギーをそれぞれ計測する複数のエリア計測メータと、前記階層的にエネルギーが分岐された最下層の位置で、前記各機器に供給されるエネルギーをそれぞれ計測する複数の機器計測メータとに接続されたビル監視制御支援装置において、
前記エリア計測メータごとに、当該エリア計測メータの計測位置よりも下層の位置でエネルギーを計測する、前記機器計測メータを含む所属メータの情報を格納したメータ−メータテーブルと、
前記機器計測メータごとに、計測対象の機器の情報を格納したメータ−機器テーブルと、
前記複数の機器ごとの制御内容を格納した機器テーブルと、
エネルギー使用量の改善対象のメータが指定されると、この指定されたメータの前記所属メータのうち前記機器計測メータの情報を、前記メータ−メータテーブルから検索して抽出する機器計測メータ情報抽出部と、
前記機器計測メータ情報抽出部で抽出された前記機器計測メータの計測対象の機器の情報を、前記メータ−機器テーブルから抽出する機器情報抽出部と、
前記機器情報抽出部で抽出された機器の制御内容を、前記機器テーブルから抽出する機器制御内容抽出部と
を備えることを特徴とするビル監視制御支援装置。
【請求項３】
前記機器計測メータ情報抽出部は、前記指定されたメータの前記所属メータを前記メータ−メータテーブルから検索して抽出し、抽出された所属メータに所属する所属メータをさらに前記メータ−メータテーブルから階層的に検索することにより、前記機器計測メータの情報を抽出する
ことを特徴とする請求項２に記載のビル監視制御支援装置。
【請求項４】
監視制御対象となるビルに供給されるエネルギーを最上層とする一方、当該ビル内に設置された複数の機器のそれぞれに供給されるエネルギーを最下層として階層的に分岐されるエネルギーを管理し、前記階層的にエネルギーが分岐される各分岐元の位置で、この位置よりも下層に供給されるエネルギーをそれぞれ計測する複数のエリア計測メータと、前記階層的にエネルギーが分岐された最下層の位置で、前記各機器に供給されるエネルギーをそれぞれ計測する複数の機器計測メータとに接続されたビル監視制御支援装置が、
エネルギー使用量の改善対象のメータが指定されると、この指定されたメータの前記所属メータのうち前記機器計測メータの情報を、前記機器計測メータごとに計測対象の機器の情報を格納したメータ−メータテーブルから検索して抽出し、
抽出された前記機器計測メータの計測対象の機器の情報を、前記機器計測メータごとに計測対象の機器の情報を格納したメータ−機器テーブルから抽出し、
抽出された機器の制御内容を、前記複数の機器ごとの制御内容を格納した機器テーブルから抽出する
ことを特徴とするビル監視制御支援方法。
【請求項５】
前記機器計測メータの情報を抽出する際は、前記指定されたメータの前記所属メータを前記メータ−メータテーブルから検索して抽出し、抽出された所属メータに所属する所属メータをさらに前記メータ−メータテーブルから階層的に検索することにより、前記機器計測メータの情報を抽出する
ことを特徴とする請求項４に記載のビル監視制御支援方法。
【請求項６】
監視制御対象となるビルに供給されるエネルギーを最上層とする一方、当該ビル内に設置された複数の機器のそれぞれに供給されるエネルギーを最下層として階層的に分岐されるエネルギーを管理し、前記階層的にエネルギーが分岐される各分岐元の位置で、この位置よりも下層に供給されるエネルギーをそれぞれ計測する複数のエリア計測メータと、前記階層的にエネルギーが分岐された最下層の位置で、前記各機器に供給されるエネルギーをそれぞれ計測する複数の機器計測メータとに接続されたビル監視制御支援装置に、
エネルギー使用量の改善対象のメータが指定されると、この指定されたメータの前記所属メータのうち前記機器計測メータの情報を、前記機器計測メータごとに計測対象の機器の情報を格納したメータ−メータテーブルから検索して抽出する機能と、
抽出された前記機器計測メータの計測対象の機器の情報を、前記機器計測メータごとに計測対象の機器の情報を格納したメータ−機器テーブルから抽出する機能と、
抽出された機器の制御内容を、前記複数の機器ごとの制御内容を格納した機器テーブルから抽出する機能と
を実行させるビル監視制御支援プログラム。
【請求項７】
前記機器計測メータの情報を抽出する際は、前記指定されたメータの前記所属メータを前記メータ−メータテーブルから検索して抽出し、抽出された所属メータに所属する所属メータをさらに前記メータ−メータテーブルから階層的に検索することにより、前記機器計測メータの情報を抽出する
ことを特徴とする請求項６に記載のビル監視制御支援プログラム。
【発明の詳細な説明】
【技術分野】
【０００１】
本発明は、ビル内のエネルギー使用状況の監視および制御を支援するビル監視制御支援システム、およびこれに利用するビル監視制御支援装置、ビル監視制御支援方法、ビル監視制御支援プログラムに関する。
【背景技術】
【０００２】
従来、ビル内に設置された機器の省エネ制御を行うために、これらの機器のエネルギー使用量を計測するメータの計測値を監視することが行われている。
【０００３】
メータの計測値を監視して機器の省エネ制御を行う技術として、特許文献１に記載の技術がある。
【０００４】
特許文献１には、メータの計測値が予め設定された目標値を超過しそうになると、これを知らせる制御指令放送を流して監視員に知らせ、監視員によりこのメータに接続された複数の機器の中から選択された機器の電源を順次遮断する目標電力制御システムが記載されている。
【０００５】
このシステムを利用することにより、メータの計測値が予め設定された目標値を超過しないようにビル内の機器が制御され、省エネ効果を図ることができる。
【特許文献１】特開２００４−１２０９１９号公報
【発明の開示】
【発明が解決しようとする課題】
【０００６】
ところで、規模の大きなビルでは、外部から供給されたエネルギーが階層的に分岐されることにより、数十、数百という多数の機器にこのエネルギーが供給されている。
【０００７】
そのため、各機器に供給されるエネルギーを計測するメータの他、エネルギーの分岐点に供給されるエネルギーをそれぞれ計測するメータもあり、これらの多数のメータの計測値を監視員が監視するのは困難である。
【０００８】
そこでこれらのメータの計測位置関係をエネルギーの分岐状況に基づいて系統的に示したエネルギー系統図を表示させ、このエネルギー系統図を表示させた画面上に各メータの計測値を表示させることにより、ビル内のエネルギー使用状況を監視員に判りやすく提示している。
【０００９】
一方で、大規模なビルの機器の監視システムでは、多数の機器の運転状況を、空調機などの設備機器の位置を示したフロアー平面図や、電力関係機器等の接続関係を系統的に示した単線結線図を表示させた画面上に、これらの機器の現在運転状態（正常運転中、または異常停止中など）をシンボルでグラフィカルに表示させることにより、監視員に判りやすく提示している。
【００１０】
このような規模の大きなビルで特許文献１に記載されたような目標電力制御システムを適用した場合、監視員は制御指令放送により目標値を超過しそうなメータを知ることはできるが、このメータがどの機器に接続されているか、またその機器でどのような制御が可能かといった情報をこの放送からは取得することができない。
【００１１】
そのため、制御指令放送が流されたときには、監視員はまず抽出されたメータの下位に接続されているメータをエネルギー系統図に基づいて洗い出すとともに最下位のメータに接続されている機器を特定し、これらの機器の設置場所を建築設計図等で確認し、さらにこれらの機器の運転状況をフロアー平面図や単線結線図で目視で確認するとともにどのような制御が可能であるか確認しなければならなかった。これらの作業は煩雑で手間がかかり、改善が求められていた。
【００１２】
よって本発明は、ビル内の省エネ制御対象となる機器およびこの機器の制御内容を、エネルギー使用量を計測するメータの情報から容易に特定することにより、エネルギー使用状況の監視および制御を支援するビル監視制御支援システム、およびこれに利用するビル監視制御支援装置、ビル監視制御支援方法、ビル監視制御支援プログラムを提供することを目的とする。
【課題を解決するための手段】
【００１３】
上記目的を達成するための本発明のビル監視制御支援システムは、監視制御対象となるビルに供給されるエネルギーを最上層とする一方、当該ビル内に設置された複数の機器のそれぞれに供給されるエネルギーを最下層として階層的に分岐されるエネルギーを管理するビル監視制御支援システムであって、前記階層的にエネルギーが分岐される各分岐元の位置で、この位置よりも下層に供給されるエネルギーをそれぞれ計測する複数のエリア計測メータと、前記階層的にエネルギーが分岐された最下層の位置で、前記各機器に供給されるエネルギーをそれぞれ計測する複数の機器計測メータと、前記エリア計測メータごとに、当該エリア計測メータの計測位置よりも下層の位置でエネルギーを計測する、前記機器計測メータを含む所属メータの情報を格納したメータ−メータテーブルと、前記機器計測メータごとに、計測対象の機器の情報を格納したメータ−機器テーブルと、前記複数の機器ごとの制御内容を格納した機器テーブルと、エネルギー使用量の改善対象のメータが指定されると、この指定されたメータの前記所属メータのうち前記機器計測メータの情報を、前記メータ−メータテーブルから検索して抽出する機器計測メータ情報抽出部と、前記機器計測メータ情報抽出部で抽出された前記機器計測メータの計測対象の機器の情報を、前記メータ−機器テーブルから抽出する機器情報抽出部と、前記機器情報抽出部で抽出された機器の制御内容を、前記機器テーブルから抽出する機器制御内容抽出部と、前記機器制御内容抽出部で抽出された機器の制御内容を、エネルギー使用量の改善対象の機器の制御内容として表示する改善対象機器表示部とを備えることを特徴とする。
【００１４】
また、本発明のビル監視制御支援装置は、監視制御対象となるビルに供給されるエネルギーを最上層とする一方、当該ビル内に設置された複数の機器のそれぞれに供給されるエネルギーを最下層として階層的に分岐されるエネルギーを管理し、前記階層的にエネルギーが分岐される各分岐元の位置で、この位置よりも下層に供給されるエネルギーをそれぞれ計測する複数のエリア計測メータと、前記階層的にエネルギーが分岐された最下層の位置で、前記各機器に供給されるエネルギーをそれぞれ計測する複数の機器計測メータとに接続されたビル監視制御支援装置において、前記エリア計測メータごとに、当該エリア計測メータの計測位置よりも下層の位置でエネルギーを計測する、前記機器計測メータを含む所属メータの情報を格納したメータ−メータテーブルと、前記機器計測メータごとに、計測対象の機器の情報を格納したメータ−機器テーブルと、前記複数の機器ごとの制御内容を格納した機器テーブルと、エネルギー使用量の改善対象のメータが指定されると、この指定されたメータの前記所属メータのうち前記機器計測メータの情報を、前記メータ−メータテーブルから検索して抽出する機器計測メータ情報抽出部と、前記機器計測メータ情報抽出部で抽出された前記機器計測メータの計測対象の機器の情報を、前記メータ−機器テーブルから抽出する機器情報抽出部と、前記機器情報抽出部で抽出された機器の制御内容を、前記機器テーブルから抽出する機器制御内容抽出部とを備えることを特徴とする。
【００１５】
また、本発明のビル監視制御支援方法は、監視制御対象となるビルに供給されるエネルギーを最上層とする一方、当該ビル内に設置された複数の機器のそれぞれに供給されるエネルギーを最下層として階層的に分岐されるエネルギーを管理し、前記階層的にエネルギーが分岐される各分岐元の位置で、この位置よりも下層に供給されるエネルギーをそれぞれ計測する複数のエリア計測メータと、前記階層的にエネルギーが分岐された最下層の位置で、前記各機器に供給されるエネルギーをそれぞれ計測する複数の機器計測メータとに接続されたビル監視制御支援装置が、エネルギー使用量の改善対象のメータが指定されると、この指定されたメータの前記所属メータのうち前記機器計測メータの情報を、前記機器計測メータごとに計測対象の機器の情報を格納したメータ−メータテーブルから検索して抽出し、抽出された前記機器計測メータの計測対象の機器の情報を、前記機器計測メータごとに計測対象の機器の情報を格納したメータ−機器テーブルから抽出し、抽出された機器の制御内容を、前記複数の機器ごとの制御内容を格納した機器テーブルから抽出することを特徴とする。
【００１６】
また、本発明のビル監視制御支援プログラムは、監視制御対象となるビルに供給されるエネルギーを最上層とする一方、当該ビル内に設置された複数の機器のそれぞれに供給されるエネルギーを最下層として階層的に分岐されるエネルギーを管理し、前記階層的にエネルギーが分岐される各分岐元の位置で、この位置よりも下層に供給されるエネルギーをそれぞれ計測する複数のエリア計測メータと、前記階層的にエネルギーが分岐された最下層の位置で、前記各機器に供給されるエネルギーをそれぞれ計測する複数の機器計測メータとに接続されたビル監視制御支援装置に、エネルギー使用量の改善対象のメータが指定されると、この指定されたメータの前記所属メータのうち前記機器計測メータの情報を、前記機器計測メータごとに計測対象の機器の情報を格納したメータ−メータテーブルから検索して抽出する機能と、抽出された前記機器計測メータの計測対象の機器の情報を、前記機器計測メータごとに計測対象の機器の情報を格納したメータ−機器テーブルから抽出する機能と、抽出された機器の制御内容を、前記複数の機器ごとの制御内容を格納した機器テーブルから抽出する機能とを実行させることを特徴とする。
【発明の効果】
【００１７】
本発明のビル監視制御支援システム、およびこれに利用するビル監視制御支援装置、ビル監視制御支援方法、ビル監視制御支援プログラムによれば、ビル内の省エネ制御対象となる機器およびこの機器の制御内容を、エネルギー使用量を計測するメータの情報から容易に特定することができる。
【発明を実施するための最良の形態】
【００１８】
〈一実施形態によるビル監視制御支援システムの構成〉
本発明の一実施形態によるビル監視制御支援システムの構成を、図１を参照して説明する。
【００１９】
本実施形態によるビル監視制御支援システム１は、監視制御対象となるビルＡに供給されるエネルギーを最上層とする一方、当該ビル内に設置された複数の機器のそれぞれに供給されるエネルギーを最下層として階層的に分岐されるエネルギーを管理し、監視制御対象のビルＡ内に設けられたビル内エネルギーシステム１０と、このビル内エネルギーシステム１０の監視および制御の支援を行うビル監視制御支援装置２０と、ビルＡの監視員により操作される監視装置３０とから構成される。
【００２０】
ビル内エネルギーシステム１０は、ビルＡ内に設置された複数の機器としての空調機１１−１〜１１−５と、複数のエリア計測メータ１２−１、１２−２と、複数の機器計測メータ１３−１〜１３−３とを有する。
【００２１】
規模の大きいビルのビル内エネルギーシステム１０は、設備機器、電力関係機器等やメータは数十個かまたは数百個で構成されているが、本実施形態においては説明を簡略化するため、機器としての４台の空調機１１−１〜１１−４と、２台のエリア計測メータ１２−１、１２−２と、３台の機器計測メータ１３−１〜１３−３とにより構成されているものとする。
【００２２】
空調機１１−１〜１１−４は、ビルＡ内の所定エリアに設置され、外部から供給された電力がまず分岐点Ｄ１により分岐され、その一方が分岐点Ｄ２でさらに分岐されることにより階層的に複数に分割された最下層の電力を使用して、設定温度に従って該当エリアの空調制御動作を行う。
【００２３】
エリア計測メータ１２−１、１２−２は、階層的に電力が分岐される各分岐点Ｄ１、Ｄ２の分岐元の位置でそれぞれ、この位置よりも下層に供給される電力で作動する、所定エリア内の複数の空調機で使用される電力を計測する。
【００２４】
機器計測メータ１３−１〜１３−３は、階層的に電力が分岐された最下層の位置で、各空調機１１−１〜１１−４に供給される電力をそれぞれ計測する。ここでは、機器計測メータ１３−１は空調機１１−４に供給される電力を計測し、機器計測メータ１３−２は空調機１１−１および１１−２に供給される電力を計測し、機器計測メータ１３−３は空調機１１−３に供給される電力を計測する。
【００２５】
ビル監視制御支援装置２０は、記憶部２１と、制御部２２とを有する。記憶部２１は、メータテーブル記憶部２１１と、メータ−メータテーブル記憶部２１２と、メータ−機器テーブル記憶部２１３と、機器テーブル記憶部２１４と、状態・計測値記憶部２１５とを有する。
【００２６】
メータテーブル記憶部２１１は、ビル内エネルギーシステム１０内に設置されている機器計測メータおよびエリア計測メータごとの識別情報としてのメータＩＤ、各メータの名称、メータで計測されるエネルギーの単位等を格納する。
【００２７】
メータ−メータテーブル記憶部２１２は、エリア計測メータごとに、当該エリア計測メータの計測位置よりも下層の位置でエネルギーを計測する所属メータのメータＩＤを格納する。
【００２８】
メータ−機器テーブル記憶部２１３は、機器計測メータごとに、計測対象の機器の識別情報としての機器ＩＤを格納する。
【００２９】
機器テーブル記憶部２１４は、ビル内エネルギーシステム１０内に設置されている機器ごとの機器ＩＤ、機器の名称、制御内容等を格納する。
【００３０】
状態・計測値記憶部２１５は、後述する状態・計測値取得部２２１で取得する各空調機の運転状態および設定温度値と、各メータの計測値とを記憶する。
【００３１】
制御部２２は、状態・計測値取得部２２１と、エネルギー使用状況表示制御部２２２と、支援情報生成部２２３と、機器制御部２２４とを有する。
【００３２】
状態・計測値取得部２２１は、空調機１１−１〜１１−５から所定時間間隔でそれぞれ運転状態（運転／停止）および設定温度値を取得するとともに、エリア計測メータ１２−１、１２−２および機器計測メータ１３−１〜１３−３から、所定時間間隔でそれぞれ計測値を取得する。
【００３３】
エネルギー使用状況表示制御部２２２は、状態・計測値取得部２２１で取得され状態・計測値記憶部２１７に記憶された各メータの計測値を取得して電力の分岐状況に基づいて系統的に示したエネルギー使用状況画面情報を生成し、監視装置３０に送信する。
【００３４】
支援情報生成部２２３は、監視装置３０から送信された、エネルギー使用量の改善対象メータの情報に基づいて、エネルギー使用量の改善対象の機器およびこの機器の制御内容を検索する。具体的には、支援情報生成部２２３はまず、この対象メータの識別情報であるメータＩＤを、メータテーブルを参照して特定する。次に、特定されたメータの所属メータのうち機器計測メータの情報をメータ−メータテーブルを参照して抽出し、さらにこの抽出された機器計測メータの計測対象の機器の機器ＩＤをメータ−機器テーブルから抽出する。さらに、抽出された機器ＩＤに対応する機器の制御内容を機器テーブルから抽出し、この抽出した機器の制御内容に基づいて検索結果画面を生成する。
【００３５】
機器制御部２２４は、監視装置３０から送信された、ビル内エネルギーシステム１０内の機器を制御する指示を受信し、該当する機器に送信する。
【００３６】
監視装置３０は、エネルギー使用状況表示制御部２２２で生成されたエネルギー使用状況画面情報を表示するとともに、表示したエネルギー使用状況画面情報に基づいて監視員に指定された、エネルギー使用量を改善するための対象メータの情報を、ビル監視制御支援装置２０の支援情報生成部２２３に送信する。また、監視装置３０は、ビル監視制御支援装置２０の支援情報生成部２２３で生成された検索結果画面を表示するとともに、表示した検索結果画面に基づいて監視員に指示された機器の操作内容を、ビル監視制御支援装置２０の機器制御部２２４に送信する。
【００３７】
〈一実施形態によるビル監視制御支援システムの動作〉
次に、本実施形態によるビル監視制御支援システム１の動作について説明する。
【００３８】
本実施形態において、予め、ビル監視制御支援装置２０の記憶部２１のメータテーブル記憶部２１１にはビル内エネルギーシステム１０内に設置されているエリア計測メータ１２−１、１２−２および機器計測メータ１３−１〜１３−３ごとの識別情報としてのメータＩＤ、各メータの名称、メータで計測されるエネルギーの単位が格納され、メータ−メータテーブル記憶部２１２には、エリア計測メータ１２−１、１２−２ごとに、当該エリア計測メータの所属メータのメータＩＤが格納され、メータ−機器テーブル記憶部２１３には、機器計測メータ１３−１〜１３−３ごとに、当該機器計測メータの計測対象の空調機の識別情報としての機器ＩＤが格納され、機器テーブル記憶部２１４には、ビル内エネルギーシステム１０内に設置されている空調機１１−１〜１１−４ごとの機器ＩＤ、機器の名称、制御内容等が格納されている。
【００３９】
これらの情報が格納されている状態で、ビル監視制御支援システム１が起動されると、ビル内エネルギーシステム１０内の所定エリアに設置されている空調機１１−１〜１１−４において、外部の電力設備から供給され階層的に分岐点Ｄ１、Ｄ２で分岐された最下層の電力により、設定温度に従って該当エリアの空調制御動作が開始される。
【００４０】
各空調機１１−１〜１１−４において空調制御動作が開始されると、外部の電力設備から供給された電力が最初に分岐される分岐点Ｄ１の分岐元の位置で、エリア計測メータ１２−１によりこの位置よりも下層に供給される電力が計測され、この分岐点Ｄ１で分岐された電力の一方がさらに分岐される分岐点Ｄ２の分岐元の位置で、エリア計測メータ１２−２によりこの位置よりも下層に供給される電力が計測される。
【００４１】
さらに、このように階層的に分岐された最下層の電力により、空調機１１−４に供給される電力が機器計測メータ１３−１により計測され、空調機１１−１および１１−２に供給される電力が機器計測メータ１３−２により計測され、空調機１１−３に供給される電力が機器計測メータ１３−３により計測される。
【００４２】
これらの各エリア計測メータ１２−１、１２−２および機器計測メータ１３−１〜１３−３で計測された計測値と、各空調機１１−１〜１１−４における運転状態（運転／停止）および設定温度値とは、ビル内エネルギーシステム１０に接続されたビル監視制御支援装置２０に送信される。
【００４３】
各メータの計測値と各空調機の状態等を受信したときの、ビル監視制御支援装置２０の動作について図２のフローチャートを参照して説明する。
【００４４】
まず、ビル監視制御支援装置２０において各エリア計測メータ１２−１、１２−２および機器計測メータ１３−１〜１３−３で計測された計測値と、各空調機１１−１〜１１−４における運転状態（運転／停止）および設定温度値とが受信されると、制御部２２の状態・計測値取得部２２１においてこれらが取得される（Ｓ１）。
【００４５】
状態・計測値取得部２２１において取得された各空調機１１−１〜１１−４における運転状態（運転／停止）および設定温度値と、各エリア計測メータ１２−１、１２−２および機器計測メータ１３−１〜１３−３で計測された計測値は、記憶部２１の状態・計測値記憶部２１５に記憶される（Ｓ２）。
【００４６】
次に、エネルギー使用状況表示制御部２２２において、状態・計測値記憶部２１５に記憶された情報の中の各エリア計測メータ１２−１、１２−２および機器計測メータ１３−１〜１３−３で計測された計測値と、メータテーブル記憶部２１１のメータテーブルに格納された各メータの名称、単位が取得され、これらを表示するためのエネルギー使用状況画面情報が生成される（Ｓ３）。生成されたエネルギー使用状況画面情報は監視装置３０に送信され、エネルギー使用状況画面として表示される（Ｓ４）。
【００４７】
表示されたエネルギー使用状況画面の一例を、図３に示す。図３では、ビル内エネルギーシステム１０内の電力の分岐状態に基づいてエリア計測メータ１２−１、１２−２および機器計測メータ１３−１〜１３−３の計測位置関係が各メータの名称で系統的に示されるとともに、各メータの計測値がそれぞれ表示されている。
【００４８】
監視装置３０にエネルギー使用状況画面が表示されると監視員によりこの画面が監視され、表示された各メータの計測値に基づいて、使用量が多く使用状況の改善対象となるメータが選択される。
【００４９】
ここでは、図３に表示されたメータの中から、監視員によりエネルギー使用量の改善対象のメータとして名称“サブ変１”であるエリア計測メータ１２−２が選択されたものとする。
【００５０】
エネルギー使用量の改善対象のメータとしてエリア計測メータ１２−２が選択されると、ビル監視制御支援装置２０の支援情報生成部２２３において選択されたエリア計測メータ１２−２の情報が取得され（Ｓ５）、このエリア計測メータ１２−２で電力を計測している対象機器の制御内容が検索され、この検索結果に基づいて検索結果画面情報が支援情報として生成される。
【００５１】
支援情報生成部２２３において、エリア計測メータ１２−２で電力を計測している対象機器の運転状態が検索され、検索結果画面情報が生成される際の詳細な処理について、図４を参照して説明する。
【００５２】
まず、選択されたエリア計測メータ１２−２のメータＩＤおよびメータの名称が、メータテーブル記憶部２１１に記憶されたメータテーブルから特定される（Ｓ６）。ここでは、エリア計測メータ１２−２のメータＩＤとして“Ｐ２”が特定される。
【００５３】
次に、メータＩＤ“Ｐ２”の所属メータのメータＩＤが、メータ−メータテーブル記憶部２１２に記憶されたメータ−メータテーブルから検索され、該当する所属メータＩＤが存在すれば抽出される。ここではメータＩＤ“Ｐ２”に該当する所属メータＩＤが存在し、メータＩＤ“Ｐ４”および“Ｐ５”が抽出される（Ｓ７の「YES」、Ｓ８）。
【００５４】
ここで、所属メータが存在したことから、メータＩＤ“Ｐ２”に対応するメータはエリア計測メータであることが分かる。また、メータＩＤ“Ｐ４”および“Ｐ５”についてもさらに所属メータが検索されるが、これらのメータＩＤには所属メータがなく「該当レコードなし」の結果が取得されるため、メータＩＤ“Ｐ４”および“Ｐ５”は最下層の電力を計測する機器計測メータであることが分かる（Ｓ７の「NO」）。
【００５５】
このように、抽出されたメータＩＤから機器計測メータが抽出されるまで、ステップＳ７およびＳ８の検索処理が繰り返される。
【００５６】
次に、抽出された機器計測メータのメータＩＤ“Ｐ４”および“Ｐ５”のメータに接続された機器の機器ＩＤが、メータ−機器テーブル記憶部２１３に記憶されたメータ−機器テーブルから検索され、メータＩＤ“Ｐ４”のメータに接続された機器の機器ＩＤとして機器ＩＤ“ＰＡＣ−１”、“ＰＡＣ−２”が抽出され、メータＩＤ“Ｐ５”のメータに接続された機器の機器ＩＤとして機器ＩＤ“ＰＡＣ−３”が抽出される（Ｓ９）。
【００５７】
次に、抽出された機器ＩＤ“ＰＡＣ−１”、“ＰＡＣ−２”、“ＰＡＣ−３”に対応する機器の名称および制御内容が、機器テーブル記憶部２１４に記憶された機器テーブルから検索され、抽出される（Ｓ１０）。
【００５８】
次に、抽出された機器ＩＤ“ＰＡＣ−１”、“ＰＡＣ−２”、“ＰＡＣ−３”に対応する機器の名称および制御内容と、状態・計測値記憶部２１５に記憶された各空調機の運転状態および設定温度値とに基づいて、検索結果画面情報が生成される（Ｓ１１）。
【００５９】
生成された検索結果画面情報は監視装置３０に送信され、検索結果画面として表示される。
【００６０】
監視装置３０に表示された検索結果画面の一例を、図５に示す。図５では、監視員により改善対象として選択されたエリア計測メータ１２−２の名称“サブ変１電力”が表示され、このエリア計測メータ１２−２が選択されたことにより検索され抽出された、機器ＩＤ“ＰＡＣ−１”に対応する名称“空調動力系１  ＰＡＣ−１”、機器ＩＤ“ＰＡＣ−２”に対応する名称“空調動力系１  ＰＡＣ−２”、機器ＩＤ“ＰＡＣ−３”に対応する名称“空調動力系２  ＰＡＣ−３”と、これらの空調機の制御内容を変更するためのボタンが表示されている。ここでは、空調機を運転させるための“運転”ボタン３２１、停止させるための“停止”ボタン３２２、設定温度値を変更するための“温度”ボタン３２３とが表示されている。
【００６１】
この検索結果画面が表示されることにより、監視員は改善対象の機器および変更する制御内容を検討し、変更指示を入力する。
【００６２】
図５の例では、検索された空調機のうち現在運転中の空調機が“空調動力系１  ＰＡＣ−１”および“空調動力系２  ＰＡＣ−３”であり、“空調動力系１  ＰＡＣ−１”の設定温度値が“２０．０℃”であり“空調動力系２  ＰＡＣ−３”の設定温度値が“２５．０℃”であることから、例えば監視員により“空調動力系１  ＰＡＣ−１”の空調制御が過冷房であると判断され、“温度”ボタン３２１が操作して“空調動力系１  ＰＡＣ−１”の設定温度値を上げる指示が入力されることにより、この空調機で使用する電力が低減される。
【００６３】
監視員により操作された機器の制御内容の変更指示は、ビル監視制御支援装置２０の機器制御部２２４で受信され、該当するビル内エネルギーシステム１０内の空調機１１−１に送信される。空調機１１−１では、受信された指示の設定温度に従って運転が行われる。
【００６４】
以上の本実施形態によれば、ビル内のエネルギー状態を監視する監視員が、改善対象のメータを選択したことによりこのメータに対応する機器の一覧が監視装置に検索結果画面として表示されるため、改善対象の機器を一目で把握することができ、さらにこれらの機器の現在の運転状態や変更可能な制御内容を確認して変更操作をすることができるため、監視員による操作を支援することができる。
【００６５】
また、本実施形態のビル監視制御支援装置の制御部の機能をプログラム化してコンピュータに組み込むことにより、当該コンピュータをビル監視制御支援装置として機能させるビル監視制御支援プログラムを構築することも可能である。
【図面の簡単な説明】
【００６６】
【図１】本発明の一実施形態によるビル監視制御支援システムの構成を示す全体図である。
【図２】本発明の一実施形態によるビル監視制御支援システムのビル監視制御支援装置の動作を示すフローチャートである。
【図３】本発明の一実施形態によるビル監視制御支援システムの監視装置に表示されるエネルギー使用状況画面の一例を示す画面構成図である。
【図４】本発明の一実施形態によるビル監視制御支援システムのビル監視制御支援装置の支援情報生成部で実行される検索処理の流れを示す説明図である。
【図５】本発明の一実施形態によるビル監視制御支援システムの監視装置に表示される検索結果画面の一例を示す画面構成図である。
【符号の説明】
【００６７】
１…ビル監視制御支援システム
１０…ビル内エネルギーシステム
１１−１〜１１−４…空調機
１２−１、１２−１…エリア計測メータ
１３−１〜１３−３…機器計測メータ
２０…ビル監視制御支援装置
２１…記憶部
２２…制御部
３０…監視装置
２１１…メータテーブル記憶部
２１２…メータ−メータテーブル記憶部
２１３…メータ−機器テーブル記憶部
２１４…機器テーブル記憶部
２１５…状態・計測値記憶部
２２１…状態・計測値取得部
２２２…エネルギー使用状況表示制御部
２２３…支援情報生成部
２２４…機器制御部
３２１…“運転”ボタン
３２２…“停止”ボタン
３２３…“温度”ボタン
【図１】
2010074888.tif 000003
【図２】
2010074888.tif 000004
【図３】
2010074888.tif 000005
【図４】
2010074888.tif 000006
【図５】
2010074888.tif 000007